(57)【要約】【課題】ビデオカメラの被写体が暗い場合において映像ディスプレイの映像が不鮮明なる【解決手段】映像信号を発生し絞り情報を出力するカメラと、映像信号を画面に表示する映像ディスプレイと、映像信号を液晶ディスプレイに表示する為にコントラスト調整、黒レベル調整、輝度ガンマ補正や映像ディスプレイのタイミング発生やその他画質補正を行う映像信号処理回路とを備え、前記カメラでのシャッターの絞り量を映像ディスプレイに供給しディスプレイがカメラの絞り量を監視し、カメラの被写体が暗い場合にディスプレイのコントラストの制御を行い、コントラストをあげる制御を行うことが可能となるので、本発明は、映像ディスプレイ装置の映像の視認性を向上するものである。【選択図】図１
2009218660.tif 000002
【特許請求の範囲】
【請求項１】
映像信号を撮像する撮像装置と撮像装置で撮像した映像信号を受信し、画面上に表示する映像ディスプレイ装置とにより構成される映像ディスプレイ表示システムであって、
前記撮像装置は、前記撮像装置の撮像時の設定を示す設定情報を記録する記録部と、
前記記録部に記録した設定情報を前記映像信号に重畳して出力する出力部とを備え、
前記映像ディスプレイ装置は、前記出力部により出力された映像信号及び設定情報を受信する入力部と、
前記入力部により受信した映像信号の画質を補正する補正部とを備え、
前記補正部により、前記入力部により受信した設定情報に基づいて前記映像信号の画質の補正を行うことを特徴とする映像ディスプレイ表示システム。
【請求項２】
前記設定情報とは、撮像の対象物からの光をＣＣＤに入力する量を設定する露出情報又は撮像の対象物からの光を入力する入り口の開口量を示す絞り情報又は撮像時の光を取り入れる時間を決めるシャッタースピード情報の少なくともいずれか一つを含むことを特徴とする請求項１記載の映像ディスプレイ表示システム。
【請求項３】
前記補正部は、コントラスト調整又は黒レベル調整又は輝度ガンマ補正又は輪郭強調の処理の少なくともいずれか一つを行うことを特徴とする請求項１又は２記載の映像ディスプレイ表示システム。
【請求項４】
前記補正部は、前記入力部から出力された映像信号を保持するメモリと、
前記メモリに保持された映像信号に対して、コントラスト調整又は黒レベル調整又は輝度ガンマ補正又は輪郭強調の処理の少なくともいずれか一つを施すことにより画質を補正する画質補正部と、
前記入力部により受信した設定情報を取得する取得部とを備え、
前記画質補正部による画質の補正を設定情報に基づいて行うことを特徴とする請求項１記載の映像ディスプレイ表示システム。
【請求項５】
前記補正部は、さらに前記設定情報に対して所定の閾値を設定する設定部と、
前記入力部により受信した設定情報と前記設定部の閾値を比較する比較部とを備え、
前記比較部の比較結果に基づいて前記画質補正部の補正量を決定することを特徴とする請求項４記載の映像ディスプレイ表示システム。
【請求項６】
前記設定情報が、撮像の対象物からの光をＣＣＤに入力する量を設定する露出情報の場合に、前記比較部の比較により露出情報が閾値以下の場合には、前記画質補正部により、映像信号のコントラストを増幅することを特徴とする請求項５記載の映像ディスプレイ表示システム。
【請求項７】
前記設定情報が、撮像の対象物からの光を入力する入り口の開口量を示す絞り情報の場合に、前記比較部の比較により絞り情報が閾値以下の場合には、前記画質補正部により、映像信号のコントラストを増幅することを特徴とする請求項５記載の映像ディスプレイ表示システム。
【請求項８】
前記設定情報が、撮像時の光を取り入れる時間を決めるシャッタースピード情報の場合に、前記比較部の比較によりシャッタースピード情報が閾値以下の場合には、前記画質補正部により、映像信号のコントラストを増幅とすることを特徴とする請求項５記載の映像ディスプレイ表示システム。
【請求項９】
ビデオカメラの映像信号を映像ディスプレイ装置で受像するシステムにおいて、カメラからレンズの絞り情報を得てディスプレイがカメラの絞り量を監視し、カメラの被写体が暗い場合にディスプレイのコントラストをあげる制御を行うことで、映像の視認性を向上させることを特徴とした映像ディスプレイ装置。
【請求項１０】
映像信号を発生し絞り情報を出力するカメラと、映像信号を画面に表示する映像ディスプレイと、映像信号を液晶ディスプレイに表示する為にコントラスト調整、黒レベル調整、輝度ガンマ補正や映像ディスプレイのタイミング発生のいずれか一つを含む画質補正を行う映像信号処理回路とを備え、前記カメラでのシャッターの絞り量を映像ディスプレイに供給しコントラスト調整を行うことを特徴とした映像ディスプレイ装置。
【発明の詳細な説明】
【技術分野】
【０００１】
本発明はビデオカメラの映像信号を受像する映像ディスプレイ装置に関するものである。
【背景技術】
【０００２】
従来の映像ディスプレイ装置は、光センサーをディスプレイに内蔵し、ディスプレイの周囲の光量を光センサーで検知し光センサーが受光する光量にあわせてバックライトの輝度を制御していた。（特許文献１参照）。
【０００３】
図２は、前記特許文献１に記載された従来の映像ディスプレイ装置を示すものである。図２において、映像ディスプレイ１０１は、周囲の光量情報１０４を光センサー１０２で検知し、ディスプレイの輝度を制御していた。
【特許文献１】特開平６−１１７１３号公報
【発明の開示】
【発明が解決しようとする課題】
【０００４】
しかしながら、前記従来の構成では、ディスプレイに内蔵されている光センサー２０２で検知している為に、ビデオカメラの被写体自体の光量を検知できず、例えば、カメラの被写体が暗い場合にカメラの映像が不鮮明となる課題を有していた。
【０００５】
本発明は、前記従来の課題を解決するもので、カメラの被写体が暗い場合においてカメラの映像が不鮮明にならない映像ディスプレイ装置を提供すること等により、被写体自体の撮像時の状態を把握した上で、映像ディスプレイ装置で適切な画質補正を行うことを目的とする。
【課題を解決するための手段】
【０００６】
前記従来の課題を解決するために、本発明の映像ディスプレイ装置は、映像信号を発生し絞り情報を出力するカメラと、映像信号を画面に表示する映像ディスプレイと、映像信号を液晶ディスプレイに表示する為にコントラスト調整、黒レベル調整、輝度ガンマ補正や映像ディスプレイのタイミング発生やその他画質補正を行う映像信号処理回路とを備え、前記カメラでのシャッターの絞り量を映像ディスプレイに供給しコントラスト調整を行うことを特徴とする。
【発明の効果】
【０００７】
本構成によって、ディスプレイがカメラの絞り量等を監視し、カメラの被写体が暗い場合等にディスプレイのコントラストの制御を行い、コントラストをあげる制御を行うことで、映像の視認性を向上できる。
【発明を実施するための最良の形態】
【０００８】
以下に、本発明の一実施形態について図面を参照しながら説明する。
【０００９】
（実施の形態１）
本発明の第１の発明は、カメラのレンズの絞り量を映像ディスプレイ装置が監視し、カメラの被写体が暗い場合にディスプレイのコントラストをあげる制御を行うことで、映像の視認性を向上させることを特徴とする。
【００１０】
さらに、本発明の第２の発明は、映像信号を発生し絞り情報を出力するカメラと、映像信号を画面に表示する映像ディスプレイと、映像信号を液晶ディスプレイに表示する為にコントラスト調整、黒レベル調整、輝度ガンマ補正や映像ディスプレイのタイミング発生やその他画質補正を行う映像信号処理回路とを備え、前記カメラでのシャッターの絞り量を映像ディスプレイに供給し、被写体が暗い場合にディスプレイのコントラスト調整を行い映像の視認性を向上させることを特徴とする。以下に具体的な構成について説明する。
【００１１】
図１は本発明の映像ディスプレイ装置の構成を示した図である。図１において、１０１は映像ディスプレイ、１０２はビデオカメラ、１０３は映像信号処理回路、１０４は絞り情報からなる映像ディスプレイ装置である。
【００１２】
次に、以上のような構成を有する映像ディスプレイ表示システムの具体的な動作を説明する。最初に、ビデオカメラ１０２は映像信号１０５と絞り情報を出力する。次に、映像信号１０５と絞り情報１０４は映像信号処理回路１０３に入力される。
【００１３】
次に、映像信号処理回路１０３は、映像信号１０３のコントラスト調整、黒レベル調整、輝度ガンマ補正や映像ディスプレイ１０１の駆動タイミング発生やその他画質補正を行う。次に、映像信号処理回路１０３の出力は、映像ディスプレイ１０１に入力され、映像信号１０５の映像が表示される。
【００１４】
ここで、ビデオカメラ１０２は、カメラの被写体が暗い場合はレンズの絞り量が小さく制御されるので、このシャッターの絞り量を絞り情報１０４として映像信号処理回路１０３に出力する。
【００１５】
これに対して、映像信号処理回路１０３は、絞り情報１０４を監視しカメラの被写体が暗い場合に絞り量が制御された時にコントラストをあげる制御を行うことで、映像の視認性を向上できる。
【００１６】
また、カメラの被写体が明るく絞り量が制御された時にはコントラストを下げて映像ディスプレイ１０１に表示する映像のレベルが飽和しないよう制御する。
【００１７】
よって、ビデオカメラ１０２の被写体が暗い場合にビデオカメラ１０２の映像信号１０５が不鮮明となる課題を解決できる。
【００１８】
さらに、本発明は、車載のディスプレイでのリアカメラ映像の視認性向上に有効な技術である。
【００１９】
（第２の実施形態）
第２の実施形態においては、上記の第１の実施形態において説明した本発明の映像ディスプレイ表示システムについて、図３及び図４を参照しながら、より詳細に説明する。
【００２０】
本発明の映像ディスプレイ表示システムは、映像信号を撮像する撮像装置３００と前記撮像装置で撮像した映像を表示する映像ディスプレイ装置３５０と撮像装置３００と映像ディスプレイ装置３５０とを接続する接続装置３３０により構成されている。ここで、映像信号を撮像する撮像装置３００とは、静止画や動画を撮像できる装置をいい、具体的には静止画を撮像する装置としてデジタルカメラ（ＤＳＣ）や動画を撮像する装置としてビデオカメラなどをいう。また、接続装置３３０は、無線であっても有線であってもよく、具他的には、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）等をいう。
【００２１】
次に、本発明における撮像装置３００のより詳細な構成について図３を参照しながら説明する。撮像装置３００は、レンズやレンズから入ってきた光の情報をデジタル信号に変換するＣＣＤやＣＣＤからの信号をもとにＲＧＢ画像の生成を行う画像処理回路等により構成される撮像部３０２と、撮像部３０２により撮像された映像信号（本明細書において、映像信号とは動画及び静止画のいずれも意味するものとする。）と後述する記憶部（第１）３０６に記憶された設定情報とを重畳して外部機器に出力する出力部３０４と、撮像部３０２により撮像された撮像時の設定を示す設定情報を記録する記憶部（第１）３０６と、撮像部３０２、出力部３０４及び記憶部（第１）３０６を制御する制御部（第１）３０８とにより構成されている。
【００２２】
ここで、記憶部（第１）３０６に記憶される設定情報について説明する。この設定情報とは、撮像部３０２において、撮像時に、撮像の対象物からの光を上述したＣＣＤに入力する量を設定する露出情報や撮像の対象物からの光を入力する入り口の開口量を示す絞り情報や撮像時の光を取り入れる時間を決めるシャッタースピード情報等をいう。なお、本発明はこれに限定されるものではなく、例えば、撮像の対象物の範囲を決定するズーム情報や映像信号の解像度の情報である解像情報や近い撮像の対象物を撮影する際に使用されるマクロ撮影モードや人の顔を認識した撮影モード等のモード情報等の情報を活用することも可能である。
【００２３】
次に、本発明における映像ディスプレイ装置３５０のより詳細な構成について図３を参照しながら説明する。映像ディスプレイ装置３５０は、接続装置３３０を介して撮像装置３００から入力された映像信号及び設定情報を入力する入力部３５２と、入力部から入力された映像信号の画質を補正する補正部３５４と、入力部から入力された設定情報を記憶する記憶部（第２）３５６と、補正部により補正された映像信号をディスプレイに出力する出力部３５８と、入力部３５２、補正部３５４、記憶部（第２）３５６及び出力部３５８を制御する制御部（第２）３６０とにより構成されている。
【００２４】
ここで、本発明の特徴である補正部３５４の具体的な処理について詳細に説明する。この補正部３５４は、入力部３５２から出力された映像信号を保持するメモリ３８０と、そのメモリ３８０に保持された映像信号に対して、例えば、コントラスト調整又は黒レベル調整又は輝度ガンマ補正又は輪郭強調等の処理を施すことにより画質を補正する画質補正部３８２と、記憶部（第２）３５６に記憶された撮像時の設定を示す設定情報を取得する取得部３８４と、予め設定情報の所定の値を閾値として設定する設定部３８６と、取得部３８４で取得した設定情報と設定部３８６により設定した閾値とを比較する比較部３８８とを設け、この比較結果に基づいて、前記画質補正部３８２による画質の補正を設定情報に基づいて行う。
【００２５】
なお、予め設定情報の所定の値を閾値として設定する設定部３８６については、例えば、外部よりリモコン等を用いて、ユーザーが設定することも可能である。これにより、更にユーザーの好みに応じた画質に補正を行うことが可能になるものである。
【００２６】
次に、この補正部３５４の処理について、設定情報の一つである絞り情報を一例として説明する。絞り情報とは上述したように、撮像の対象物からの光を入力する入り口の開口量を示す情報であり、この絞り情報により、撮像の対象物からの光をＣＣＤに入力する量を設定することが可能になり、さらに、前後のどれだけの範囲でくっきり撮像することができるかを決めるものである。例えば、絞りを小さい値に設定（絞りこむ）することにより広い範囲にピントが合い、手前から遠方まで広範囲に撮像を行うことが可能となり、一方、絞りを大きい値（絞りを開く）と、ピントを合わせた撮像対象の前後がやわらかくぼけた状態で撮像を行うことが可能になる。
【００２７】
まず、予め補正部３５４の設定部３８６においては、絞り情報に対する閾値を設けておく。次に、比較部３８８において、取得部３８４が取得した設定が情報が閾値以下の場合、つまり、撮像の対象物からの光の量が閾値よりも低く暗い画像となっている場合には、例えば、画質補正部において輝度レベルを高く設定し、一方、入力された絞り情報が閾値以上の場合、つまり、撮像の対象物からの光の量が多い明るい画像となっている場合には、例えば、画質補正部において輝度レベルを低く設定することが考えられる。
【００２８】
さらに、絞り情報が閾値以下の場合には、広い範囲にピントがあったくっきりした映像信号が入力されているものと考えられるため輪郭強調の設定を高くすることにより、更にくっきりした映像信号を出力することが可能になる一方、入力された絞り情報が閾値以上の場合、つまり、ピントを合わせた撮像対象の前後がやわらかくぼけた状態で撮像された映像信号が入力されているものと考えられるため輪郭強調の設定を低く設定することにより、適切な処理を行うことが可能になるものである。
【００２９】
同様に、設定情報が、撮像の対象物からの光をＣＣＤに入力する量を設定する露出情報の場合には、比較部３８８の比較により露出情報が閾値以下の場合には、画質補正部により、映像信号のコントラストを増加させることにより、よりクリアな映像信号を出力することが可能になる。
【００３０】
また、同様に、設定情報が、撮像時の光を取り入れる時間を決めるシャッタースピード情報の場合に、比較部３８８の比較によりシャッタースピード情報が閾値以下の場合（つまり、シャッタースピードが速い場合）には、画質補正部３８２により、映像信号のコントラストを増加させることにより、よりクリアな映像信号を出力することが可能になる。
【００３１】
さらに、設定情報が、撮像時に人の顔を認識した撮影モードを使用したことを示す場合には、画質補正部３８２により人の顔の輪郭を明確に表示するように画質補正を行うことも可能である。
【００３２】
このように、本願発明においては、映像信号が撮像された際の撮像装置自体の設定情報を適切に反映した画質補正を行うことが可能になり、より適切な画質補正を行うことが可能になるとともに、映像ディスプレイ装置３５０に画質補正のために従来技術のように余分な回路を設ける必要もなく回路規模を小さくすることができるものである。
【００３３】
なお、上述した実施の形態においては、撮像の対象物からの光をＣＣＤに入力する量を設定する露出情報又は撮像の対象物からの光を入力する入り口の開口量を示す絞り情報又は撮像時の光を取り入れる時間を決めるシャッタースピード情報のいずれかの情報にもとづいて画像補正を行ったが、本発明は、これに限定されるものではなく、複数の情報に基づいて画像補正を行うことも可能である。これにより、画像補正部３８２において、より適切な画質補正を行うことが可能になる。
【産業上の利用可能性】
【００３４】
本発明の映像ディスプレイ装置によれば、映像信号を発生し絞り情報を出力するカメラと、映像信号を画面に表示する映像ディスプレイと、映像信号を液晶ディスプレイに表示する為にコントラスト調整、黒レベル調整、輝度ガンマ補正や映像ディスプレイのタイミング発生やその他画質補正を行う映像信号処理回路とを備え、前記カメラでのシャッターの絞り量を映像ディスプレイに供給し、ディスプレイがカメラの絞り量を監視し、カメラの被写体が暗い場合にディスプレイのコントラストの制御を行い、コントラストをあげる制御を行うことが可能となり、本発明は、映像ディスプレイ装置の映像の視認性を向上する装置又は方法として有用である。
【図面の簡単な説明】
【００３５】
【図１】本発明の実施の形態１における映像ディスプレイ装置の図
【図２】従来の映像ディスプレイ装置の図
【図３】本発明の実施の形態２における映像ディスプレイ装置の図
【図４】本発明の実施の形態２における補正部の構成を示す図
【符号の説明】
【００３６】
１０１    映像ディスプレイ
１０２    ビデオカメラ
１０３    映像信号処理回路
１０４    絞り情報
１０５    映像信号
２０１    映像ディスプレイ
２０２    光センサー
２０３    映像信号処理回路
２０４    光量情報
３００    撮像装置
３０２    撮像部
３０４    出力部
３０６    記憶部（第１）
３０８    制御部（第１）
３３０    接続装置
３５０    映像ディスプレイ装置
３５２    入力部
３５４    補正部
３５６    記憶部（第２）
３５８    出力部
３６０    制御部（第２）
【図１】
2009218660.tif 000003
【図２】
2009218660.tif 000004
【図３】
2009218660.tif 000005
【図４】
2009218660.tif 000006